(57)【要約】【課題】折戸の吊元側において、折り畳まれた折戸とその周辺に配置される部品との干渉を回避することができる折戸装置を提供すること。【解決手段】上枠２１、下枠２２及び縦枠２３、２４からなる戸枠２と、戸先框３１と吊元框３３の間に複数枚の障子３ａを折り畳み可能に連結してなる折戸３とを備え、折戸３を、吊元框３３に設けられた回転軸６、７を中心にして回転させながら折り畳むことにより、戸枠２で囲まれる開口を開放し、折戸３を展開することにより、開口を閉鎖する折戸装置１であって、吊元框３３の回転軸６、７は、折り畳み操作時に、上枠２１及び下枠２２に沿って中央側に向けてずれ移動可能に設けられている。【選択図】図６
2018188858.tif 000002
【特許請求の範囲】
【請求項１】
上枠、下枠及び縦枠からなる戸枠と、戸先框と吊元框の間に複数枚の障子を折り畳み可能に連結してなる折戸とを備え、
前記折戸を、前記吊元框に設けられた回転軸を中心にして回転させながら折り畳むことにより、前記戸枠で囲まれる開口を開放し、前記折戸を展開することにより、前記開口を閉鎖する折戸装置であって、
前記吊元框の前記回転軸は、折り畳み操作時に、前記上枠及び前記下枠に沿って中央側に向けてずれ移動可能に設けられている、折戸装置。
【請求項２】
前記縦枠は、前記折戸の展開時に前記吊元框の室内側見付け面と当接するシール部材を有し、
前記上枠及び前記下枠の少なくとも一方に、中央側に行くに従って、折り畳まれた前記折戸の張り出し方向に次第に傾斜するように設けられ、中央側に向けてずれ移動する前記吊元框の前記回転軸の外周面と当接して該回転軸を前記張り出し方向に案内することにより、前記吊元框を前記シール部材から離隔する方向に移動させるテーパー面を有する、請求項１に記載の折戸装置。
【請求項３】
前記上枠及び前記下枠の少なくとも一方に、前記吊元框の前記回転軸のずれ移動を、前記折戸の展開時に配置される第１の位置から中央側にずれた第２の位置に規制する回転軸規制部材を備える、請求項１又は２に記載の折戸装置。
【請求項４】
前記上枠及び前記下枠の少なくとも一方に、前記第１の位置から中央側に向けてずれ移動する前記吊元框の前記回転軸の外周面と当接し、該回転軸を乗り越えさせて前記第２の位置に保持可能な段差部を有する、請求項３に記載の折戸装置。
【発明の詳細な説明】
【技術分野】
【０００１】
本発明は、折戸装置に関する。
【背景技術】
【０００２】
従来、複数枚の障子を折り畳み可能に連結してなる折戸が戸枠に取り付けられた折戸装置が知られている。この折戸装置では、折戸を吊元側に向けて折り畳んだ際、折り畳まれた折戸が吊元側の縦枠近傍で戸枠の一側方に向けて逆Ｖ字状に張り出す形態となる（例えば、特許文献１〜３参照）。
【先行技術文献】
【特許文献】
【０００３】
【特許文献１】特許第４４９４９８２号公報
【特許文献２】特開２００３−２６９０５５号公報
【特許文献３】特開２０１５−１３５０４４号公報
【発明の概要】
【発明が解決しようとする課題】
【０００４】
このような折戸装置では、折戸が吊元側の縦枠近傍から張り出すように折り畳まれるため、折り畳まれた折戸が、その周辺に配置される部品と干渉を起こす問題がある。
【０００５】
例えば、折戸装置の外側にシャッターを更に取り付けようとすると、縦枠の外側に近接して取り付けられるシャッターのガイドレールが、折り畳まれた折戸の障子と干渉してしまい、最悪の場合、折戸を折り畳むことができなくなる。
【０００６】
また、縦枠には框の表面と当接してシールする複数のシール部材やフィン（側壁部）等が設けられるが、折戸の折り畳み時に吊元框が回転すると、吊元框がこれらシール部材やフィン等と干渉するおそれがある。特にシール部材は、折戸の展開時と折り畳み時とを問わず常に吊元框と干渉しているため、付着や摩耗、ヘタリが発生し易い。
【０００７】
そこで、本発明は、折戸の吊元側において、折り畳まれた折戸とその周辺に配置される部品との干渉を回避することができる折戸装置を提供することを目的とする。
【課題を解決するための手段】
【０００８】
本発明は、上記目的を達成するため、上枠（例えば後述する上枠２１）、下枠（例えば後述する下枠２２）及び縦枠（例えば後述する縦枠２３、２４）からなる戸枠（例えば後述する戸枠２）と、戸先框（例えば後述する戸先框３１）と吊元框（例えば後述する吊元框３３）の間に複数枚の障子（例えば後述する障子３ａ）を折り畳み可能に連結してなる折戸（例えば後述する折戸３）とを備え、前記折戸を、前記吊元框に設けられた回転軸（例えば後述する回転軸６、７）を中心にして回転させながら折り畳むことにより、前記戸枠で囲まれる開口を開放し、前記折戸を展開することにより、前記開口を閉鎖する折戸装置であって、前記吊元框の前記回転軸は、折り畳み操作時に、前記上枠及び前記下枠に沿って中央側に向けてずれ移動可能に設けられている、折戸装置（例えば後述する折戸装置１）を提供する。
【０００９】
前記縦枠は、前記折戸の展開時に前記吊元框の室内側見付け面（例えば後述する室内側見付け面３３ａ）と当接するシール部材（例えば後述する縦枠パッキン２４１）を有し、前記上枠及び前記下枠の少なくとも一方に、中央側に行くに従って、折り畳まれた前記折戸の張り出し方向に次第に傾斜するように設けられ、中央側に向けてずれ移動する前記吊元框の前記回転軸の外周面と当接して該回転軸を前記張り出し方向に案内することにより、前記吊元框を前記シール部材から離隔する方向に移動させるテーパー面（例えば後述するテーパー面９）を有することが好ましい。
【００１０】
前記上枠及び前記下枠の少なくとも一方に、前記吊元框の前記回転軸のずれ移動を、前記折戸の展開時に配置される第１の位置から中央側にずれた第２の位置に規制する回転軸規制部材（例えば後述する回転軸規制部材８）を備えることが好ましい。
【００１１】
前記上枠及び前記下枠の少なくとも一方に、前記第１の位置から中央側に向けてずれ移動する前記吊元框の前記回転軸の外周面と当接し、該回転軸を乗り越えさせて前記第２の位置に保持可能な段差部（例えば後述する段差部８３）を有することが好ましい。
【発明の効果】
【００１２】
本発明によれば、折戸の吊元側において、折り畳まれた折戸とその周辺に配置される部品との干渉を回避することができる折戸装置を提供することができる。
【図面の簡単な説明】
【００１３】
【図１】本発明の一実施形態に係る折戸装置の正面図である。
【図２】図１中のＡ−Ａ線断面図である。
【図３】図１中のＢ−Ｂ線断面図である。
【図４】折戸の展開状態を示す折戸装置の横断面図である。
【図５】折戸の展開状態を示す折戸装置の吊元側の横断面図である。
【図６】折戸の折り畳み状態を示す折戸装置の吊元側の横断面図である。
【図７】回転軸規制部材の詳細を示す平面図である。
【発明を実施するための形態】
【００１４】
以下、本発明の一実施形態について図面を参照して説明する。
図１は本発明の一実施形態に係る折戸装置の正面図、図２は図１中のＡ−Ａ線断面図、図３は図１中のＢ−Ｂ線断面図、図４は折戸の展開状態を示す折戸装置の横断面図、図５は折戸の展開状態を示す折戸装置の吊元側の横断面図、図６は折戸の折り畳み状態を示す折戸装置の吊元側の横断面図である。
【００１５】
折戸装置１は、上枠２１、下枠２２及び左右の縦枠２３、２４によって矩形状に形成された戸枠２と、この戸枠２に取り付けられた折戸３とを備えている。
【００１６】
折戸３は、例えばガラスパネルからなる２枚の障子３ａが、戸先框３１と中間框３２との間及び吊元框３３と中間框３２との間に補助框３４を介して取り付けられている。各補助框３４は、それぞれヒンジ３５によって中間框３２に回転可能に支持されている。これによって、各障子３ａは中間框３２に対して折り畳み可能に取り付けられている。なお、図１中の２５は上框、２６は下框、３６は中間框３２に取り付けられた開閉操作用の取っ手である。
【００１７】
図２に示すように、戸先框３１の上端には回転軸４が突設されている。回転軸４の先端には吊車４１が設けられている。吊車４１は、上枠２１の長さ方向に沿って形成された一対のガイドレール２１１上に載置されている。これにより、折戸３の戸先側は上枠２１から吊持されている。回転軸４は、一対のガイドレール２１１で形成されるガイド溝２１２にスライド移動可能に係合している。
【００１８】
また、戸先框３１の下端にも、回転軸４と同心状に回転軸５が突設されている。回転軸５は、先端部に回転可能なガイドローラ５ａを有している。回転軸５は、ガイドローラ５ａの部分が、下枠２２の長さ方向に沿って形成されたガイド溝２２１にスライド移動可能に係合している。これにより、回転軸５は、折戸３の展開時及び折り畳み時に下枠２２に沿う戸先框３１の移動を案内すると共に、折戸３が室内外方向に振れないようにしている。
【００１９】
この戸先框３１の下側の回転軸５は、上下動可能に設けられており、下動させて下枠２２に形成された図示しない係止穴内に挿入することにより、戸先框３１を戸枠２に対して位置決め固定するためのロック機構を兼用している。このため、戸先側に回転軸５とは別途にロック機構を設ける必要がない。
【００２０】
一方、図３に示すように、吊元框３３の上端にも回転軸６が突設されている。回転軸６の先端には、折戸３を上枠２１に吊持するための吊車６１が設けられている。吊車６１は、戸先側と同様、上枠２１のガイドレール２１１上に載置されている。これにより、折戸３の吊元側は上枠２１から吊持されている。この回転軸６も、ガイド溝２１２にスライド移動可能に係合している。
【００２１】
また、吊元框３３の下端にも回転軸６と同心状に回転軸７が突設されている。回転軸７は、先端部に回転可能なガイドローラ７ａを有している。この回転軸７も、ガイドローラ７ａの部分が、下枠２２のガイド溝２２１にスライド移動可能に係合している。
【００２２】
この吊元框３３の下側の回転軸７も、上下動可能に設けられており、下動させて下枠２２に形成された図示しない係止穴内に挿入することにより、吊元框３３を戸枠２に対して位置決め固定するためのロック機構を兼用している。このため、吊元側に回転軸７とは別途にロック機構を設ける必要がない。
【００２３】
戸先框３１及び吊元框３３は同一構造であり、横断面形状が略矩形状に形成され、左右対称に設けられている。戸先框３１及び吊元框３３は、それぞれ平面からなる室内側見付け面３１ａ、３３ａ、室外側見付け面３１ｂ、３３ｂ及び見込み面３１ｃ、３３ｃを有し、これらが回転軸４、５、６、７を取り囲むように配置されている。３１１、３３１は、戸先框３１及び吊元框３３の見込み面３１ｃ、３３ｃにそれぞれ設けられた緩衝パッキンである。緩衝パッキン３１１、３３１は、戸先框３１及び吊元框３３が回転した際、縦枠２３、２４と不意に衝突して異音が発生することを防止するためのものである。
【００２４】
戸先側及び吊元側の縦枠２３、２４も同一構造であり、左右対称に設けられている。いずれの縦枠２３、２４も、折戸３の展開時の戸先框３１及び吊元框３３の室内側見付け面３１ａ、３３ａに沿うように延びる室内側側壁部２３ａ、２４ａと、戸先框３１及び吊元框３３の室外側見付け面３１ｂ、３３ｂに沿うように延びる室外側側壁部２３ｂ、２４ｂとを有している。室内側側壁部２３ａ、２４ａは、戸先框３１及び吊元框３３の室内側見付け面３１ａ、３３ａのほぼ全体を覆うように配置されている。室外側側壁部２３ｂ、２４ｂは、戸先框３１及び吊元框３３の室外側見付け面３１ｂ、３３ｂの一部、具体的には室外側見付け面３１ｂ、３３ｂにおける見込み面３１ｃ、３３ｃ寄りの部分を覆うように配置されている。
【００２５】
各縦枠２３、２４の室内側側壁部２３ａ、２４ａと戸先框３１及び吊元框３３の室内側見付け面３１ａ、３３ａとの間及び各縦枠２３、２４の室外側側壁部２３ｂ、２４ｂと戸先框３１及び吊元框３３の室外側見付け面３１ｂ、３３ｂとの間は、それぞれ僅かに離隔している。戸先框３１及び吊元框３３は、折戸３の展開時、図４に示すように、それぞれの縦枠２３、２４の室内側側壁部２３ａ、２４ａと室外側側壁部２３ｂ、２４ｂとの間に収納されるように配置されている。これにより、戸先框３１及び吊元框３３と縦枠２３、２４との間の空間Ｓは、室内側側壁部２３ａ、２４ａ及び室外側側壁部２３ｂ、２４ｂによって室内外から直接目視されないように遮蔽されると共に、コ字状に入り組んだ形状とされ、風や水等の侵入防止効果を高めている。
【００２６】
各縦枠２３、２４の室内側側壁部２３ａ、２４ａの端部には、展開時の戸先框３１及び吊元框３３の室内側見付け面３１ａ、３３ａと当接するシール部材である縦枠パッキン２３１、２４１が取り付けられ、空間Ｓの室内側を封止している。また、各縦枠２３、２４の室外側側壁部２３ｂ、２４ｂの端部には、展開時の戸先框３１及び吊元框３３の室外側見付け面３１ｂ、３３ｂと当接するシール部材である水切りパッキン２３２、２４２が取り付けられ、空間Ｓの室外側を封止している。
【００２７】
折戸装置１は、取っ手３６を室内側に引き寄せ、図４に示すように、全ての障子３ａが一平面上に並ぶように折戸３を拡げて展開することにより、戸枠２で囲まれる開口を閉鎖して室内側と室外側とに隔てる。また、折戸３を折り畳む際は、取っ手３６を室外側に押し込んで、回転軸６、７を中心にして吊元框３３を室外側に向けて回転させながら、戸先框３１を上枠２１及び下枠２２に沿って吊元側に引き寄せる。すると、折戸３は、図６に示すように、室外側に向けて逆Ｖ字状に張り出すように折り畳まれ、戸枠２で囲まれる開口を開放する。
【００２８】
ここで、本発明における「室内側」「室外側」は、折戸３によって隔てられる２つの空間を区別するものであり、本明細書では、折り畳まれた折戸３が逆Ｖ字状に張り出す方向の側を「室外側」、その反対方向の側を「室内側」と定義する。従って、「室外」とは、建物の外部（屋外）の空間であってもよいし、建物の内部（屋内）の部屋の一つの空間であってもよい。また、折り畳まれた折戸３の張り出し方向は、建物や部屋の外側となるようにするものに限らず、建物や部屋の内側となるようにしてもよい。
【００２９】
次に、折戸装置１の吊元側の構成について更に詳細に説明する。通常、折戸における戸先框の回転軸は、折り畳み操作によって上枠及び下枠に沿って吊元側に向けて大きくスライド移動するように設けられるのに対し、吊元框の回転軸は、展開時と折り畳み時とを問わず、縦枠近傍の上枠及び下枠の一か所に固定配置される。しかし、本発明における吊元框３３の回転軸６、７は一か所に固定されていない。この折戸装置１における吊元框３３の回転軸６、７は、折り畳み操作時に、上枠２１及び下枠２２に沿って中央側に向けてずれ移動可能に設けられている。ここで、「ずれ移動」とは、折り畳み時に、戸先框３１の回転軸４、５が吊元側にスライド移動する距離に比べて遥かに短い距離を移動することをいう。
【００３０】
折戸３の展開時、吊元框３３の回転軸６、７は、図５に示すように、吊元框３３が縦枠２４の室内側側壁部２４ａと室外側側壁部２４ｂとの間に収納される位置（第１の位置）に配置され、折戸３は開口を閉鎖している。この第１の位置は、上枠２１及び下枠２２の長さ方向において、縦枠パッキン２４１よりもやや外寄り、且つ、水切りパッキン２４２よりもやや中央寄りに配置されている。このとき、吊元側の空間Ｓは、縦枠パッキン２４１及び水切りパッキン２４２によって封止されている。
【００３１】
そして、展開状態から取っ手３６を室外側に向けて押し出し、折戸３の折り畳み操作を開始すると、戸先框３１が回転軸４、５を中心にして回転しながら上枠２１及び下枠２２に沿って中央側に向けて移動し始める。一方、吊元框３３の回転軸６、７は、上枠２１及び下枠２２に沿って中央側に向けてずれ移動可能に設けられているため、吊元框３３も回転軸６、７を中心にして回転しながら上枠２１及び下枠２２に沿って、図６中の矢印に示すように展開時の位置から中央側に向けてずれ移動し始める。その後、戸先框３１が吊元側一杯に引き寄せられるまで取っ手３６を押し込むと、折戸３は室外側に向けて逆Ｖ字状に張り出すように折り畳まれる。
【００３２】
最終的に折り畳まれた折戸３は、吊元框３３の回転軸６、７の中央側へのずれ移動によって、吊元側の縦枠２４から中央側にやや離れた位置に配置される。このため、例えば図６に示すように、室外側に縦枠２３、２４と近接してシャッターのガイドレールＧを配置しても、折り畳まれた折戸３とガイドレールＧとが干渉することを回避できる。従って、ガイドレールＧを更に外側にずらす等の対策をとる必要はなく、見栄えも良好にできる。
【００３３】
また、吊元框３３は、回転軸６、７の中央側へのずれ移動に伴って、折り畳み操作時に縦枠２４から離れる方向にずれ移動するので、吊元框３３に当接する縦枠パッキン２４１との干渉も回避することができる。このため、縦枠パッキン２４１が当接し続けることによって生じる付着や摩耗、ヘタリの発生も抑えられる。
【００３４】
吊元框３３は、折り畳み操作時、回転しながら縦枠２４の室外側側壁部２４ｂからも離れるように移動するので、折り畳み動作によって室外側側壁部２４ｂや水切りパッキン２４２と干渉することはない。このため、本実施形態に示すように、戸先側と吊元側とで同一構造の縦枠２３、２４を左右対称に使用できるようになり、折戸装置１の見栄えも良好となる。
【００３５】
更に、折り畳み操作時、吊元框３３が中央側に向けて縦枠２４から離れる方向にずれ移動することで、吊元框３３と縦枠２４との間の空間Ｓを広く開放することができる。このため、吊元框３３と縦枠２４との間で室内外の空気の移動が容易となり、例えば折戸３の室外側空間が浴室等のように密閉された空間である場合、折戸３が空気の抵抗によって開きにくくなるといった現象も起きにくくなる。
【００３６】
折戸３を展開する際は逆の動作となり、吊元框３３の回転軸６、７は折り畳み操作時とは逆方向に回転しながら吊元側の縦枠２４に向けて移動する。これにより、吊元框３３は上枠２１及び下枠２２に沿ってスライドしながら、縦枠２４の室内側側壁部２４ａと室外側側壁部２４ｂとの間に収納配置される。これにより、吊元框３３と縦枠２４との間の空間Ｓは、室内外から直接目視できないように遮蔽されると共に、コ字状に入り組んだ形状となって風や水等の侵入防止効果が高められる。
【００３７】
図４〜図６に示すように、下枠２２には、吊元側の縦枠２４の近傍に回転軸規制部材８が設けられている。この回転軸規制部材８は、詳細には図７に示すように、ガイド溝２２１内にビス止めされた樹脂製ブロックからなり、縦枠２４側に配置される第１の当接部８１と、該第１の当接部８１から所定距離だけ中央側に離れて配置される第２の当接部８２とを有している。吊元框３３の下側の回転軸７は、ガイドローラ７ａの部分が第１の当接部８１と第２の当接部８２との間に収納されるようにガイド溝２２１と係合している。
【００３８】
第１の当接部８１は、展開操作によってガイド溝２２１内を縦枠２４に向けてずれ移動する回転軸７のガイドローラ７ａを当接させ、第１の位置８１ａで停止させることにより、回転軸７がそれ以上縦枠２４側へ移動することを規制する。第２の当接部８２は、折り畳み操作によってガイド溝２２１内を中央側に向けてずれ移動する回転軸７のガイドローラ７ａを当接させ、回転軸７をその当接した位置（第２の位置８２ａ）で停止させることにより、回転軸７がそれ以上中央側にずれ移動することを規制する。吊元框３３の下側の回転軸７のずれ移動が規制されることにより、吊元框３３の移動が規制されるので、上側の回転軸６のずれ移動も同様に規制される。
【００３９】
これにより、折り畳み操作時の回転軸６、７の上枠２１及び下枠２２に沿うずれ移動の範囲は、回転軸規制部材８によって、第１の位置８１ａから中央側に所定距離だけずれた第２の位置８２ａまでとなるように規制される。従って、回転軸６、７の中央側への過度のずれ移動が阻止され、折り畳まれた折戸３が中央側に寄り過ぎることが防止される。また、第１の当接部８１によって、展開時に回転軸７が第１の位置８１ａよりも縦枠２４側に移動することも阻止されるので、吊元框３３が縦枠２４と衝突するおそれもない。
【００４０】
更に、回転軸７は、ガイドローラ７ａが第２の当接部８２に当接して第２の位置８２ａで支持されるため、折戸３を折り畳む際、吊元框３３をより円滑に回転させることができ、折り畳み操作性に優れる効果もある。本実施形態に示す回転軸規制部材８の第２の当接部８２は、第２の位置８２ａで吊元框３３の回転軸７を安定的に支持してより円滑に回転させることができるように、ガイドローラ７ａの外周面に沿うように円弧面に形成されているが、これに限定されない。
【００４１】
なお、第１の位置８１ａから第２の位置８２ａまでの距離は、吊元框３３を、折り畳み操作によって縦枠２４の室内側側壁部２４ａと室外側側壁部２４ｂとの間から離脱するように移動させ、折戸３とその周辺に配置される部品との干渉を回避できればよく、数十ｍｍあれば十分である。
【００４２】
本実施形態に示す回転軸規制部材８は、第１の当接部８１と第２の当接部８２とが、下枠２２のガイド溝２２１内で一体に繋がるように形成されているが、第１の当接部８１と第２の当接部８２とは分離した別体の部材として構成されていてもよい。また、回転軸規制部材８は、吊元框３３の上側の回転軸６のずれ移動を規制するために上枠２１に設けられてもよい。更に、回転軸規制部材８は、上枠２１と下枠２２の両方に設けられていてもよい。この場合、第１の当接部８１と第２の当接部８２は、上枠２１と下枠２２に分かれて設けられていてもよい。
【００４３】
下枠２２には更に段差部８３が設けられている。この段差部８３は、中央側に向けてずれ移動する回転軸７のガイドローラ７ａの外周面に当接するように、回転軸規制部材８の第２の当接部８２寄りの位置に、ガイド溝２２１の室外側内壁面２２１ａから室内側に向けて突出する突起状に設けられている。段差部８３の突出高さは、回転軸７のガイドローラ７ａが乗り越えられる程度の高さで形成されている。段差部８３と第２の当接部８２との間には、段差部８３を乗り越えた回転軸７のガイドローラ７ａが収まる程度のスペースが残され、段差部８３と第２の当接部８２との間で第２の位置８２ａを規定している。
【００４４】
折り畳み操作時に中央側に向けてずれ移動した回転軸７は、ガイドローラ７ａが段差部８３を乗り越えて第２の位置８２ａに収まった後、第２の位置８２ａに確実に固定保持される。回転軸７は、段差部８３を再び乗り越えない限り第１の位置８１ａに向けて逆戻りすることはない。従って、回転軸７が第１の位置８１ａに向けて不意に逆戻りしてしまうことが防止され、吊元框３３をその位置に止め置くことができる。
【００４５】
これにより、折戸３とその周辺に配置される部品との干渉を回避する効果をより確実に得ることができる。また、回転軸７が第２の位置８２ａに確実に固定保持されることで、折り畳み終了まで吊元框３３をより安定した状態で回転させることができる。更に、ガイドローラ７ａが段差部８３を乗り越える際、クリック感及びクリック音が発生するので、ガイドローラ７ａが段差部８３と第２の当接部８２の間に収まって回転軸７が第２の位置８２ａに保持された状態にあることを容易に知覚できる。これらにより、折戸３の折り畳み操作性を一層向上させることができる。
【００４６】
段差部８３の形状は、回転軸７のガイドローラ７ａが乗り越え、且つ、乗り越えた回転軸７を第２の位置８２ａに保持できるものであれば特に限定されるものではないが、本実施形態に示す段差部８３は、第１の当接部８１側に配置される第１の傾斜面８３ａと第２の当接部８２側に配置される第２の傾斜面８３ｂとを有し、ガイド溝２２１の室外側内壁面２２１ａから三角形状に突出するように形成されている。
【００４７】
第１の傾斜面８３ａは比較的緩やかな角度の傾斜面で形成されている。従って、回転軸７は、第１の位置８１ａから第２の位置８２ａに向けて移動する際、ガイドローラ７ａが第１の傾斜面８３ａに案内されて段差部８３を乗り越え易くなり、折り畳み操作時に回転軸７を第２の位置８２ａまで滑らかに移動させることができる。一方、第２の傾斜面８３ｂは、第１の傾斜面８３ａに比べて急な角度の傾斜面で形成されている。従って、ガイドローラ７ａは第２の傾斜面８３ｂを乗り越え難いため、第２の位置８２ａに保持された回転軸７は第１の位置８１ａに向けて移動し難くなる。このため、段差部８３の第２の傾斜面８３ｂと第２の当接部８２との間で、第２の位置８２ａにある回転軸７を確実に固定保持できる。
【００４８】
なお、回転軸７が段差部８３を通過する際、吊元框３３が僅かに室内側に移動するが、ほんの一瞬僅かに移動するだけであり、しかも、回転軸７の中央側に向けたずれ移動の終端の近くであるため、折戸３とその周辺の部品との干渉回避効果に影響を及ぼす程度のものではない。また、段差部８３は、回転軸規制部材８の第１の当接部８１や第２の当接部８２と別体に形成され、適宜の固定手段によってガイド溝２２１の室外側内壁面２２１ａに取り付けられるものでもよい。
【００４９】
下枠２２には、中央側に向けてずれ移動する回転軸７のガイドローラ７ａの外周面と当接するテーパー面９が形成されている。テーパー面９は、中央側に行くに従って、折り畳まれた折戸３の張り出し方向である室外側に次第に傾斜するように、回転軸規制部材８の第１の当接部８１と第２の当接部８２との間のガイド溝２２１の室外側内壁面２２１ａに設けられている。本実施形態では、テーパー面９の中央側の端部に、前述した段差部８３が配置されている。
【００５０】
テーパー面９は、回転軸規制部材８の第１の当接部８１側で最も厚みが厚く、室外側内壁面２２１ａからの高さが最も高くなっているので、回転軸７が第１の位置８１ａに配置されている時、回転軸７を最も室内側に寄らせるようになっている。これにより、折戸３の展開時、吊元框３３を縦枠パッキン２４１に対して更に当接するように配置させることができ、シール性をより向上させることができる。
【００５１】
一方、テーパー面９は、回転軸規制部材８の段差部８３側で最も厚みが薄く、室外側内壁面２２１ａからの高さが最も低くなっている。このため、回転軸７が第１の位置８１ａから第２の位置８２ａへずれ移動する際、ガイドローラ７ａを摺動させながら、回転軸７を僅かに室外側寄りに案内する。折り畳み操作を行っている間、吊元框３３の回転軸６、７には、常に折戸３の張り出し方向である室外側に向けた力が作用するためである。これにより、吊元框３３は、中央側に向かうに従って縦枠パッキン２４１から離れる方向に偏移し、吊元框３３と縦枠パッキン２４１との当たりが弱くなる。このため、吊元框３３の移動が容易となり、折戸３の開閉操作を軽快にすることができる。
【００５２】
本実施形態に示すテーパー面９は、第１の当接部８１と段差部８３とを繋ぐように回転軸規制部材８に一体に形成されているが、第１の当接部８１と段差部８３のいずれかのみと繋がるように形成されていてもよく、回転軸規制部材８とは別体の部品としてガイド溝２２１の室外側内壁面２２１ａに設けられるものであってもよい。また、テーパー面９は、上枠２１と下枠２２の少なくとも一方に設けられていればよい。
【００５３】
以上説明した折戸装置１では、２枚の障子３ａを折り畳み可能に連結して１枚の折戸３を構成したが、本発明において１枚の折戸３を構成する障子３ａの数は複数枚であれば何ら限定されず、３枚以上の障子３ａが折り畳み可能に連結されるものであってもよい。また、本発明は戸枠２の開口を１枚の折戸３で閉鎖する構成に限らず、それぞれ折り畳み可能に構成された複数枚の折戸で閉鎖する構成であってもよい。
【００５４】
また、以上説明した折戸装置１は、吊元框３３も戸先框３１と同様に吊車６１によって上枠２１から吊持される構造の折戸装置１とした。これによれば、吊車６１によって吊元框３３の回転軸６、７の円滑なずれ移動が可能である。しかし、吊元框３３は戸先框３１と異なり、上枠２１及び下枠２２に沿って大きく移動する必要がないため、吊元框３３の吊持構造は、吊車６１に代えて、例えばアングル材等によってガイドレール２１１に摺動可能に吊持される簡易的な構造であってもよい。
【００５５】
更に、本発明に係る折戸装置は、折戸を上枠から吊持する構造に限らず、折戸の下端側に戸車を設けて下枠で移動可能に支持する構造であってもよい。また、本発明に係る折戸装置は、建物の屋内と屋外とを隔てる場合に限らず、部屋の開閉扉として使用する場合や、例えばパーテーション等のように１つの部屋を２つの空間に隔てる場合にも同様に適用できる。
【符号の説明】
【００５６】
１  折戸装置
２  戸枠
２１  上枠
２２  下枠
２３、２４  縦枠
２４１  縦枠パッキン（シール部材）
３  折戸
３ａ  障子
３１  戸先框
３３  吊元框
３３ａ  室内側見付け面
６、７  回転軸
８  回転軸規制部材
８１ａ  第１の位置
８２ａ  第２の位置
８３  段差部
９  テーパー面
【図１】
2018188858.tif 000003
【図２】
2018188858.tif 000004
【図３】
2018188858.tif 000005
【図４】
2018188858.tif 000006
【図５】
2018188858.tif 000007
【図６】
2018188858.tif 000008
【図７】
2018188858.tif 000009